(57)【要約】【課題】  現在再生しているファイルの再生を継続したまま、ユーザが次に再生するファイルを選択することを可能とするリモートコントローラを提供する。【解決手段】  接続されたメモリ１０８に格納されているデータを読み出す読出手段１０７と、前記読出手段により読み出されたデータに含まれている１つ以上のサムネイルを表示する表示手段１０３と、前記表示手段により表示されたサムネイルのうち選択されたサムネイルに対応するコンテンツを再生するための命令を再生装置又は記録再生装置に送信する送信手段１０９と、を備える。【選択図】        図１
2006318533.tif 000002
【特許請求の範囲】
【請求項１】
接続されたメモリに格納されているデータを読み出す読出手段と、
前記読出手段により読み出されたデータに含まれている１つ以上のサムネイルを表示する表示手段と、
前記表示手段により表示されたサムネイルのうち選択されたサムネイルに対応するコンテンツを再生するための命令を再生装置又は記録再生装置に送信する送信手段と、
を備えることを特徴とするリモートコントローラ。
【請求項２】
請求項１に記載のリモートコントローラにおいて、
前記メモリは外部メモリであることを特徴とするリモートコントローラ。
【請求項３】
請求項１に記載のリモートコントローラにおいて、
前記読出手段により読み出されたデータに含まれているコンテンツを内部で再生する再生手段を更に備えることを特徴とするリモートコントローラ。
【請求項４】
請求項３に記載のリモートコントローラにおいて、
前記読出手段により読み出されたデータに含まれているコンテンツは、前記再生装置又は前記記録再生装置が再生するコンテンツのフォーマットと異なったフォーマットで符号化されていることを特徴とするリモートコントローラ。
【請求項５】
請求項１に記載のリモートコントローラにおいて、
携帯電話機能を更に備えることを特徴とするリモートコントローラ。
【発明の詳細な説明】
【技術分野】
【０００１】
本発明は、画像、音声若しくはその双方を再生する再生装置又は画像、音声若しくはその双方を記録再生する記録再生装置を制御するためのリモートコントローラに関する。
【背景技術】
【０００２】
ハードディスクドライブ、テープ又はＤＶＤ等の記録媒体に記録されている複数の画像ファイル、音声ファイル又は画像音声ファイル（以下、単に「ファイル」という。）の中から所望のファイルを探して再生する場合、記録媒体より各ファイルに対応したサムネイルを読み込み、画面にそのサムネイルを表示する。そして、ユーザにより選択されたサムネイルに対応するファイルを再生する。
【０００３】
またファイルを再生している最中に、その再生しているファイルとは別のファイルを再生しようとする場合、ユーザは、スキップを選択し、現在再生しているファイルの前後ファイルを再生させ、所望のファイルが再生されるまでスキップするか、又は、現在再生しているファイルの再生を停止し、その代わりにサムネイルを表示させ、ユーザが選択したサムネイルに対応したファイルを再生する。
【０００４】
サムネイルを利用した発明としては、例えば、特許文献１に開示されているモノがある。
【０００５】
特許文献１には、「ＳＤＲＡＭに保持された動画像ファイルには連続する複数の静止画像ファイルが収納されており、それぞれが連続して再生されることで、モニタに動画像が表示される。動画像の再生中にインデックス表示ボタンが押されると、ＣＰＵはメモリカードからインデックスファイルを読み出し、これに収納されている複数のサムネイル画像を再生する。モニタには、動画像の代わりに複数のサムネイル画像が表示される。表示されたサムネイル画像の中からオペレータが所望のサムネイル画像を選択すると、選択されたサムネイル画像に対応する静止画像ファイルが再生される。この結果、選択したサムネイル画像と同じ静止画像がモニタの全面に表示される。ここでセットキーが押されると、この静止画像に続く動画像が再生される。 インデックスファイルを用いることで、所望の記録部分に短時間でアクセスできる。」と記載されている。
【特許文献１】特開２０００−１７５１５８号公報
【発明の開示】
【発明が解決しようとする課題】
【０００６】
このように、上記従来の技術では、あるファイルを再生している時、次に、別のファイルを再生しようとする場合、所望ファイルを再生するまでスキップするか、又は、サムネイルを再生する必要があるため、現ファイルの再生を停止しなければ次のファイルを選択することができないといった課題があった。
【０００７】
そこで、本発明は、現在再生しているファイルの再生を継続したまま、ユーザが次に再生するファイルを選択することを可能とするリモートコントローラを提供することを目的とする。
【課題を解決するための手段】
【０００８】
本発明によれば、接続されたメモリに格納されているデータを読み出す読出手段と、前記読出手段により読み出されたデータに含まれている１つ以上のサムネイルを表示する表示手段と、前記表示手段により表示されたサムネイルのうち選択されたサムネイルに対応するコンテンツを再生するための命令を再生装置又は記録再生装置に送信する送信手段と、を備えることを特徴とするリモートコントローラが提供される。
【０００９】
上記のリモートコントローラにおいて、前記メモリは外部メモリであるようにしてもよい。
【００１０】
上記のリモートコントローラにおいて、前記読出手段により読み出されたデータに含まれているコンテンツを内部で再生する再生手段を更に備えるようにしてもよい。
【００１１】
上記のリモートコントローラにおいて、前記読出手段により読み出されたデータに含まれているコンテンツは、前記再生装置又は前記記録再生装置が再生するコンテンツのフォーマットと異なったフォーマットで符号化されているようにしてもよい。
【００１２】
上記のリモートコントローラにおいて、携帯電話機能を更に備えるようにしてもよい。
【発明の効果】
【００１３】
本発明によれば、接続されたメモリに格納されているデータを読み出す読出手段と、前記読出手段により読み出されたデータに含まれている１つ以上のサムネイルを表示する表示手段と、前記表示手段により表示されたサムネイルのうち選択されたサムネイルに対応するコンテンツを再生するための命令を再生装置又は記録再生装置に送信する送信手段と、を備えるので、現在再生しているファイルの再生を継続したまま、ユーザが次に再生するファイルを選択することが可能となる。
【発明を実施するための最良の形態】
【００１４】
以下、図面を参照して本発明を実施するための最良の形態について詳細に説明する。
【００１５】
図１は本発明を最もよく表すリモートコントローラのブロック図である。
【００１６】
図１において、１０１はメモリであり、１０２は画像音声復号回路であり、１０３は画像表示部であり、１０４はスピーカーであり、１０５はデータバスであり、１０６はＣＰＵであり、１０７は外部メモリインターフェースであり、１０８は外部メモリであり、１０９は送信部である。
【００１７】
図１を参照して本発明の動作説明を行う。
【００１８】
外部より外部メモリ（例えば、フラッシュメモリ）１０８が挿入されると、ＣＰＵは、外部メモリインターフェース１０７及びデータバス１０５を介して、その挿入を認識する。
【００１９】
ＣＰＵ１０６は、リモートコントローラが制御の対象としている再生装置又は記録再生装置の記録媒体を管理するための管理情報等が外部メモリ１０８に記録されているか否かを判断する。
【００２０】
ＣＰＵ１０６は、外部メモリ１０８に管理情報等が記録されていなければ、画像表示部１０３に「このメモリは記録再生装置のデータを参照出来ません。」と表示される。この場合、リモートコントローラは、従来のリモートコントローラとして動作する。
【００２１】
他方、外部メモリ１０８に管理情報等が記録されていれば、下記の動作が行われる。
【００２２】
ＣＰＵ１０６により、外部メモリ１０８内にあるデータを外部メモリインターフェース１０７及びデータバス１０５を介しメモリ１０１に記憶させる。ただし、ＣＰＵ１０６は、外部メモリ１０８とメモリ１０１との間で容量を比較し、その結果に応じて管理情報のみをメモリ１０１に記憶させるか、又は、管理情報及び画像情報等をメモリ１０１に記憶させるかを決定する。
【００２３】
図２は、外部メモリ１０８に記述されている管理情報及び画像情報等を示す。
【００２４】
図２を参照して、管理情報及び画像情報等を（Ａ）、（Ｂ）、（Ｃ）、（Ｄ）毎に説明する。
【００２５】
（Ａ）のうちＴａｋｅ００００．ａｖｉからＴａｋｅ０００２．ａｖｉは再生装置又は記録再生装置の記録媒体に記録された動画データの名称である。また、Ｐｉｃｔ００００．ｊｐｇは再生装置又は記録再生装置の記録媒体に記録された静止画データの名称である。更に、Ａｕｄｉ００００．ｓｎｄは再生装置又は記録再生装置の記録媒体に記録された音声データの名称である。これらの右に記載されている拡張子がｓａｍであるもの（例えば、Ｔａｋｅ００００．ｓａｍ）は、画像、静止画及び音声データのサムネイルの名称である。また、これらの右に記載されている拡張子がｍｖであるもの（例えば、Ｔａｋｅ００００．ｍｖ）は、外部メモリ１０８に記録された動画ファイルの名称である。この外部メモリ１０８に記録された動画ファイルは、例えば、記録媒体に記録された動画データをトランスコード（レート変換、サイズ変換、圧縮符号化方式変換又はそれらの組み合わせ等）することにより得られたものである。拡張子がｐｉｃであるもの（Ｐｉｃｔ００００．ｐｉｃ）は、外部メモリ（１０８）に記録された静止画ファイルの名称である。この外部メモリ１０８に記録された静止画ファイルは、例えば、記録媒体に記録された静止画データをトランスコード（圧縮率変換、サイズ変換、や圧縮符号化方式変換又はそれらの組み合わせ等）することにより得られたものである。拡張子がａｕｄであるもの（ａｕｄｉ００００．ａｕｄ）は、外部メモリ１０８に記録された音声ファイルの名称である。この外部メモリに記録された音声ファイルは、例えば、記録媒体に記録された音声データをトランスコード（圧縮率変換、圧縮符号化方式変換又はこれらのそれらの組み合わせ）することにより得られたものである。但し、外部メモリ１０８の容量が十分あるのであれば、外部メモリ１０８に記録された動画ファイル、静止画ファイル及び音声ファイルの全て又は一部は、再生装置又は記録再生装置の媒体に記録されたファイルと同一のものであってもよい。右から２番目の列にある数字及び一番右の列にある数字は、それぞれ、記録媒体に記録されているファイルの記録媒体における先頭アドレス及びサイズを示している。
【００２６】
（Ｂ）は、サムネイル情報であり、サムネイルファイルの名称と外部メモリ１０８におけるサムネイルファイルのアドレスを示している。ただし、音声のサムネイルは、必ずしも音声ファイル毎に設ける必要はなく、音声であると認識することができると分かるような共通のサムネイル（例えば、音符の図柄のサムネイル）を共通に利用しても良い。
【００２７】
（Ｃ）は、画像情報及び音声情報であり、外部メモリ１０８に記録されている動画ファイル、静止画ファイル又は音声ファイルの名称と外部メモリ１０８におけるそれらのファイルのアドレス及びサイズを示している。
【００２８】
（Ｄ）は、サムネイルファイル、動画ファイル、静止画ファイル及び音声ファイルの実体である。
【００２９】
図１に戻りリモートコントローラの動作について説明する。
【００３０】
ＣＰＵ１０６は、外部１０８に記録されているデータのうちの少なくとも図２に示す（Ａ）の全部、（Ｂ）の全部、（Ｃ）の全部及び（Ｄ）のうちのサムネイルファイルをメモリ１０１にコピーする。
【００３１】
次に、ＣＰＵ１０６は、メモリ１０１に記憶されたサムネイルファイルを読み出し、データバス１０５を介し、画像音声復号回路１０２に供給する。画像音声復号回路１０２は、供給されてきたサムネイルファイルのデータを復号する。ＣＰＵ１０６は、復号されたデータを画像表示部１０３に供給し、画像表示部１０３はそのデータに基づきサムネイルを表示する。
【００３２】
上記動作は画像表示部１０３に表示可能なサムネイルの枚数分行われる。ただし、サムネイル数が表示可能枚数以下の場合は、サムネイル数分行われる。また、サムネイルが表示可能枚数以上ある場合は、画面表示部１０３には前後画面を示すアイコン１１１及び１１２（図３参照。）を表示し、そのアイコンに従って矢印キー１１３又は１１４（図３参照。）が押されたならば、新たな画面を形成し、未表示サムネイルを順に表示可能枚数分表示する。
【００３３】
図３はリモートコントローラの外観を示す平面図である。図３に示す画像表示部１０３は、図１に示す画像表示部１０３に対応する。
【００３４】
ユーザが画面表示部１０３に表示された１以上のサムネイルのうちの１つのサムネイルを矢印キー１１３、１１４、１１５、１１６により選択し、決定キー１１７を押下すると、ＣＰＵ１０６は、選択されたサムネイルを基に再生装置又は記録再生装置で再生するべきファイルを決定する。そして、送信部１０９は、赤外線信号等により、再生装置又は記録再生装置に対して、そのファイルの再生を指示する。
【００３５】
上記動作において、ファイルの指示は、図２に示した管理情報中の（Ａ）内の「記録媒体に記録されているファイルの記録媒体における先頭アドレス及びサイズ」により行う。又は、ファイルの指示は、管理情報に記録されたファイルの順番等を送信することで行うようにしてもよい。
【００３６】
これにより再生装置又は記録再生装置が再生中である場合でも、リモートコントローラにおいて所望のファイルを選択することができる。
【００３７】
また、リモートコントローラにプレビュー機能を備えさせても良い。すなわち、あるサムネイルが選択されている時にプレビューボタン１１８が押されたならば、外部メモリ１０８に記憶された動画、静止画及び音声を再生し、画像表示部１０３及びスピーカ１０４から出力する。これにより、再生装置又は記録再生装置が再生中であっても、ユーザは、次に再生したい動画、静止画及び音声を確認することが出来る。この動作を図１を参照して説明する。
【００３８】
プレビューボタン１１８が押された時、ＣＰＵ１０６は、その時に選択されているサムネイルより図２に示す管理情報からプレビューするデータを決定する。決定されたデータの外部メモリ１０８におけるアドレスを指定し、外部メモリ１０８に記録されている動画、静止画または音声データを外部メモリインターフェース１０７及びデータバス１０５を介して、メモリ１０１に記憶させる。メモリ１０１に記憶されたデータは、画像音声復号回路１０２に入力され、動画、静止画または音声データが復号される。復号されたデータが動画または静止画の場合、画像表示部１０３に画像が表示される。また、復号されたデータが音声の付いた動画または音声の場合、スピーカー１０４より音声が再生される。
【００３９】
他の実施形態として、本発明のリモートコントローラは、図４に示すように携帯電話機能２１０を備えていてもよい。携帯電話機能は、アンテナ、無線通信部、コーデック部、マイク、スピーカ等を備える。
【図面の簡単な説明】
【００４０】
【図１】本発明の実施形態によるリモートコントローラの構成を示すブロック図である。
【図２】図１に示す外部メモリの内部構造を示す図である。
【図３】本発明の実施形態によるリモートコントローラの外観を示す平面図である。
【図４】本発明の他の実施形態によるリモートコントローラの構成を示すブロック図である。
【符号の説明】
【００４１】
１０１  メモリ
１０２  画像音声復号回路
１０３  画像表示部
１０４  スピーカ
１０５  バス
１０６  ＣＰＵ
１０７  外部メモリインターフェース
１０８  外部メモリ
１０９  送信部
【図１】
2006318533.tif 000003
【図２】
2006318533.tif 000004
【図３】
2006318533.tif 000005
【図４】
2006318533.tif 000006